(57)【要約】      （修正有）【課題】良好な操作性を維持して認証機能を強化可能な電子機器および認証方法を提供する。【解決手段】電子機器は、相対位置を変化させて入力される生体に関するデータを逐次取得するセンサを搭載し、取得した該データを用いた認証機能を有する。電子機器は、該センサによる該データの取得の開始から、該相対位置の変化の停止状態が検出されるまでに、該センサにより取得したデータ群に基づいて第１の検出パターンを取得し、該第１の検出パターンを用いて第１の認証処理を行う第１の認証部３１と、該センサによる該データの取得の開始から、該停止状態の検出後、該センサによる該データの取得の終了までに、該センサにより取得したデータ群に基づいて、該第１の検出パターンと異なる第２の検出パターンを取得し、該第２の検出パターンを用いて第２の認証処理を行う第２の認証部３２と、を備える。【選択図】図２
2011022687.tif 000002
【特許請求の範囲】
【請求項１】
相対位置を変化させて入力される生体に関するデータを逐次取得するセンサを搭載し、取得した該データを用いた認証機能を有する電子機器であって、
該センサによる該データの取得の開始から、該相対位置の変化の停止状態が検出されるまでに、該センサにより取得したデータ群に基づいて第１の検出パターンを取得し、該第１の検出パターンを用いて第１の認証処理を行う第１の認証部と、
該センサによる該データの取得の開始から、該停止状態の検出後、該センサによる該データの取得の終了までに、該センサにより取得したデータ群に基づいて、該第１の検出パターンと異なる第２の検出パターンを取得し、該第２の検出パターンを用いて第２の認証処理を行う第２の認証部と、
を備えた認証機能を有する電子機器
【請求項２】
前記第２の認証部は、前記第１の検出パターンの取得後、前記センサによる前記データの取得の終了までに取得したデータ群を用いて前記第２の検出パターンを取得して、前記第２の認証処理を行う、請求項１に記載の認証機能を有する電子機器。
【請求項３】
前記第２の認証部は、前記第１の検出パターンを取得したデータ群を用いて、該第1の検出パターンと異なる処理で前記第２の検出パターンを取得して、前記第２の認証処理を行う、請求項１に記載の認証機能を有する電子機器。
【請求項４】
前記第１の認証部は、前記第１の認証処理として、前記第１の検出パターンを取得する際の前記停止状態の検出に関する認証処理を行い、前記第２の認証部は、前記第２の認証処理として、前記第２の検出パターン自体の認証処理を行う、請求項１〜３のうちいずれかに記載の認証機能を有する電子機器。
【請求項５】
センサを介して相対位置を変化させて入力される生体に関するデータを逐次取得し、取得した該データを用いて認証を行う認証方法であって、
該センサによる該データの取得の開始から、該相対位置の変化の停止状態が検出されるまでに、該センサにより取得したデータ群に基づいて第１の検出パターンを取得し、該第１の検出パターンを用いて第１の認証処理を行い、
該センサによる該データの取得の開始から、該停止状態の検出後、該センサによる該データの取得の終了までに、該センサにより取得したデータ群に基づいて、該第１の検出パターンと異なる第２の検出パターンを取得し、該第２の検出パターンを用いて第２の認証処理を行う、
ことを特徴とする認証方法。
【発明の詳細な説明】
【技術分野】
【０００１】
本発明は、携帯電話機等の電子機器における認証機能に用いられる技術に関する。
【背景技術】
【０００２】
近年、個人情報や機密情報等が記録された携帯端末装置等の電子機器における情報の保護等のため、様々な認証方法が用いられている。例えば、携帯電話機等の携帯端末装置に使用者の生体情報を取得するセンサ等を設けて、この生体情報を認証パターンとして用いた認証方法が提案されている。このような認証方法を用いた携帯電話機として、使用者の指紋を認証パターンとして使用することにより、登録された個人情報等（例えば、受信メールや住所録等）を第三者に読まれないようにする保護する携帯電話機がある。しかし、指紋認証では、例えば熟睡中や泥酔中等の、使用者が意識のない状態に、第三者が携帯電話機に設けられた指紋認証用のセンサに対して、使用者の指を使って指紋認証を行うことにより、第三者によって携帯電話機の個人情報等が読まれてしまう恐れがある。
【０００３】
これに対して、指紋認証について、例えば、使用者の複数の指の指紋を所定の順番で認証する認証パターンを用いることにより、認証機能を強化する技術が提案されている（例えば、特許文献１を参照）。
【先行技術文献】
【特許文献】
【０００４】
【特許文献１】特開２００１−２７４８９７号公報
【発明の概要】
【発明が解決しようとする課題】
【０００５】
しかしながら、特許文献１では、複数の指の認証を使う場合、一つの指による認証に比べて操作が複雑になってしまう。すなわち、認証パターンが複雑なため、パターンの入力動作が煩雑となってしまう。また、例えば、携帯電話機に設けられた指紋認証用のセンサに異なる指の指紋をそれぞれ読み取らせるためには、他方の手で携帯電話機を支持する動作等を行うこととなり、操作が煩雑となってしまう。
【０００６】
上記事情に鑑み、良好な操作性を維持して認証機能を強化可能な電子機器及び認証方法を提供することを目的とする。
【課題を解決するための手段】
【０００７】
上記課題を解決するために、相対位置を変化させて入力される生体に関するデータを逐次取得するセンサを搭載し、取得した該データを用いた認証機能を有する電子機器であって、該センサによる該データの取得の開始から、該相対位置の変化の停止状態が検出されるまでに、該センサにより取得したデータ群に基づいて第１の検出パターンを取得し、該第１の検出パターンを用いて第１の認証処理を行う第１の認証部と、該センサによる該データの取得の開始から、該停止状態の検出後、該センサによる該データの取得の終了までに、該センサにより取得したデータ群に基づいて、該第１のパターンと異なる第２の検出パターンを取得し、該第２の検出パターンを用いて第２の認証処理を行う第２の認証部と、を備えた認証機能を有する電子機器、および該認証機能に適用される認証方法を提供する。
【発明の効果】
【０００８】
開示の認証機能を備えた電子機器及び認証方法によれば、良好な操作性を維持して認証機能を強化することができる。
【図面の簡単な説明】
【０００９】
【図１】第１実施形態の携帯電話機の外観図。
【図２】図１の携帯電話機の構成を示す機能ブロック図。
【図３】図２の携帯電話機の指紋登録処理を示すフローチャート。
【図４】図２の携帯電話機の指紋認証処理を示すフローチャート。
【図５】図２の携帯電話機の指紋読取り処理に関する説明図。
【図６】図２の携帯電話機の指紋登録処理及び指紋認証処理に関する説明図。
【図７】第２実施形態の携帯電話機における指紋登録処理及び指紋認証処理に関する説明図。
【発明を実施するための形態】
【００１０】
（第１実施形態）
開示の認証機能を有する電子機器の第１実施形態である携帯電話機１について、図１〜図６を参照して説明する。携帯電話機１は、外部のセンターとの無線通信による通話機能やメール機能等を備えている。そして、携帯電話機１は、通話機能やメール機能で用いる住所録や、通話の発信・着信記録や、送受信したメールデータ等の個人情報を保存している。このとき、携帯電話機１は、各機能を使用可能とするための使用者の認証機能を備えている。本実施形態では、携帯電話機１の使用者の手の指の指紋画像を生体データとして用いて認証を行う。
【００１１】
図１は、携帯電話機１の外観図を示す。図１Ａに示すように、携帯電話機１の一方の面（表面）には、表示部２と操作入力部３とが設けられている。表示部２は、ＬＣＤ（Liquid Crystal Display）等であり、情報の提示、情報選択のためのカーソル表示等に用いられる。操作入力部３は、キーパッド等であり、入力用の複数のキースイッチが配置されている。
【００１２】
また、図１Ｂに示すように、携帯電話機１の他方の面（裏面）には、スイープ式指紋センサ４が設けられている。スイープ式指紋センサ４は、所定の横幅ｘ［mm］（例えば、一般的な指の幅に応じて定められる）を有するライン状の感知面４ａを備え、感知面４ａ上での指のスライド動作に応じて感知面４ａに対向する部分の画像データを逐次取得する。センサ方式としては、例えば光学式、静電容量式、感熱式等が用いられる。スイープ式指紋センサ４は、例えば、感知面４ａへの指の接触を検知して画像データの取得を開始し、指の接触がなくなったことを検知して画像データの取得を終了する。使用者が感知面４ａ上に指を載せて縦幅ｙ方向にスライド動作させる（すなわち、スイープ式指紋センサ４との相対位置を変化させる）ことにより、スイープ式指紋センサ４を介して部分指紋画像が逐次取得され、一連の部分指紋画像群から指紋画像が取得される。
【００１３】
図２に、携帯電話機１の機能ブロック図を示す。この携帯電話機１は、ＣＰＵ（Central Processing Unit）１０や、ＲＯＭ（Read Only Memory）やＲＡＭ（Random Access Memory）を含むメモリ１１等を備える電子ユニットを有し、その機能として、各種の情報処理を実行する制御部１２を備えている。制御部１２には、表示部２、操作入力部３、スイープ式指紋センサ４が接続されている。
【００１４】
メモリ１１は、携帯電話機１の使用者の個人情報や、携帯電話機１の各種機能に用いられる設定データを格納する。個人情報には例えば、電話番号やメールアドレス等の登録データや、送受信したメールデータや、メールや通話の着信・発信履歴等が含まれる。設定データには例えば、表示部２に後述の指紋登録画面や指紋認証画面を表示する際の表示パラメータ等が含まれる。
【００１５】
また、メモリ１１は、携帯電話機１の各機能を実現するためのプログラムを格納する。メモリ１１に格納されたプログラムをＣＰＵ１０で実行することにより携帯電話機１の各機能が実現される。
【００１６】
制御部１２は、その機能として、表示制御部２０、入力制御部２１、メール送受信部２２、呼制御部２３、及び無線制御部２４を備える。表示制御部２０は、表示部２に表示する画面を作成させる処理や、作成された画面を表示させる処理を行う。入力制御部２１は、操作入力部３のキースイッチが押圧操作されると、その操作入力を受け付けて対応する処理を行う。メール送受信部２２は、メールデータの受信や、作成されたメールデータの送信や、送受信したメールデータに関する制御を行う。呼制御部２３は、通信のための回線の接続や切断の制御を行う。無線制御部２４は、高周波信号の送受信を行う無線送受部や、音声やデータの信号処理を行う信号処理部を備え、外部の無線基地局等と音声やデータの無線送受を行う。
【００１７】
さらに、制御部１２は、指紋読取り部２５と、認証データ記憶部２６と、時間分割認証部２７とを備える。
【００１８】
指紋読取り部２５は、スイープ式指紋センサ４を介して部分指紋画像を逐次取得する。なお、指紋読取り部２５は、指の移動速度に比べて十分に速い処理速度で画像データを取得する性能を有する。そして、指紋読取り部２５は、指のスライド動作に応じて画像データを読み取ると、読取りデータを部分指紋画像として時間分割認証部２７に通知する。
【００１９】
時間分割認証部２７は、指紋読取り部２５からの通知を受け、新たに取得された部分指紋画像に、既に取得した部分指紋画像に連結して合成することで、一連の部分指紋画像群から指紋画像を取得する。
【００２０】
また、時間分割認証部２７は、使用者の指紋画像に基づく登録パターンを認証データ記憶部２６に登録する指紋登録処理と、使用者の指紋画像に基づく検出パターンを登録パターンと比較して認証を行う指紋認証処理とを実行する。時間分割認証部２７は、指紋登録処理時には指紋登録画面を表示部２に表示させ、指紋認証処理時には指紋認証画面を表示部２に表示させる。指紋登録画面及び指紋認証画面には、スイープ式指紋センサ４による指紋画像が、その取得の進行の度合を視認可能に表示される（後述の図５Ｂを参照）。
【００２１】
詳細には、時間分割認証部２７は、第１の認証部３１と第２の認証部３２とを備える。指紋登録処理時において、第１の認証部３１は、スイープ式指紋センサ４による画像データの取得の開始から、指のスライド動作の停止状態が検出されるまでに、スイープ式指紋センサ４により取得した部分指紋画像群に基づいて第１の登録パターンを取得する。そして、第１の認証部３１は、取得した第１の登録パターンを認証データ記憶部２６に登録する。
【００２２】
また、指紋登録処理時において、第２の認証部３２は、第１の登録パターンの取得後、スイープ式指紋センサ４による画像データの取得の終了までに取得した部分指紋画像群に基づいて第２の登録パターンを取得し、取得した第２の登録パターンを認証データ記憶部２６に登録する。
【００２３】
指紋認証処理時において、第１の認証部３１は、スイープ式指紋センサ４による画像データの取得の開始から、指のスライド動作の停止状態が検出されるまでに、スイープ式指紋センサ４により取得した部分指紋画像群に基づいて第１の検出パターンを取得する。そして、第１の認証部３１は、第１の検出パターンを予め登録された第１の登録パターンと比較して第１の認証処理を行う。この第１の認証処理で、第１の認証部３１は、第１の検出パターンと第１の登録パターンとの類似の度合が所定値以上である場合に、第１の検出パターンと第１の登録パターンが一致すると判断する。
【００２４】
また、指紋認証処理時において、第２の認証部３２は、第１の検出パターンの取得後、スイープ式指紋センサ４による画像データの取得の終了までに取得した部分指紋画像群に基づいて第２の検出パターンを取得する。そして、第２の認証部３２は、第２の検出パターンを予め登録された第２の登録パターンと比較して第２の認証処理を行う。この第２の認証処理で、第２の認証部３２は、第２の検出パターンと第２の登録パターンとの類似の度合が所定値以上である場合に、第２の検出パターンと第２の登録パターンが一致すると判断する。
【００２５】
このとき、第２の認証部３２は、第１の認証部３１による第１の認証処理の結果、第１の検出パターンと第１の登録パターンが一致すると判断された場合に、第２の認証処理を実行する。そして、第２の検出パターンと第２の登録パターンが一致すると判断された場合に、認証が成功したものとされる。
【００２６】
次に、本実施形態の携帯電話機１の動作について、図３〜図４のフローチャートを参照して説明する。まず、指紋登録処理について図３のフローチャートを参照して説明する。指紋登録処理は、例えば、使用者が操作入力部３を操作して、携帯電話機１のメニュー画面等で指紋登録機能を実行させることで開始される。初期状態として、表示部２に指紋登録画面が表示されている。指紋登録画面の指紋画像表示エリア２ａの近傍には、指紋画像の取得の進行の度合を視認するための指標となるスケール２ｂが表示されている（後述の図５Ｂを参照）。
【００２７】
指紋登録処理では、使用者がスイープ式指紋センサ４の感知面４ａに指を載せてスライド動作させ、スイープ式指紋センサ４がスライド動作に応じて画像データを逐次取得している。そして、指紋読取り部２５は下記のＳＴＥＰ１〜２の処理を繰り返し、時間分割認証部２７は下記のＳＴＥＰ１１〜１６の処理を実行する。
【００２８】
まず、指紋登録処理における指紋読取り部２５の処理を説明する。指紋読取り部２５は、スイープ式指紋センサ４により画像データが所定縦幅ａ（例えば、2［mm］）以上読み取られたか否かを判断する（ＳＴＥＰ１）。なお、縦幅ａは例えば感知面４ａの縦幅ｙの所定倍とする。読取りデータが縦幅ａ未満（ＳＴＥＰ１の判断結果がＮＯ）の場合、ＳＴＥＰ１の判断が繰り返される。一方、取得したデータが縦幅ａ以上（ＳＴＥＰ１の判断結果がＹＥＳ）の場合、指紋読取り部２５は、時間分割認証部２７へ読取りデータを部分指紋画像として通知し（ＳＴＥＰ２）、ＳＴＥＰ１へ戻り、指紋登録処理が終了するまでＳＴＥＰ１〜２の処理を繰り返す。
【００２９】
次に、指紋登録処理における時間分割認証部２７の処理を説明する。時間分割認証部２７は、指紋読取り部２５から読取りデータの通知を受けると、新たに取得された部分指紋画像に濃淡処理等の補正処理を行い、既に取得した指紋画像に連結して合成する（ＳＴＥＰ１１）。なお、初回時には、時間分割認証部２７は、受け取った読取りデータに濃淡処理等の補正処理を行い、そのまま指紋画像とする。これにより、一連の部分指紋画像群から指紋画像が取得される。
【００３０】
次に、時間分割認証部２７は、表示制御部２０により、取得された指紋画像を表示部２の指紋登録画面の指紋画像エリア２ａに表示させる（ＳＴＥＰ１２）。これにより、指紋画像の取得済みの部分が指紋画像エリア２ａに表示される。
【００３１】
ここで、指紋読取り処理について、図５に示す例を用いて説明する。図５Ａは、使用者がスイープ式指紋センサ４の感知面４ａに指を載せてスライド動作させている状態を模式的に示す。図５Ａに示すように、指はスイープ式指紋センサ４に対して矢印方向に相対移動している。このとき、図５Ｂに示すように、表示部２に表示された指紋登録画面の指紋画像エリア２ａに、指紋画像の取得済みの部分が表示される。そして、使用者は、指紋画像エリア２ａに表示された指紋画像と、指紋登録画面のスケール２ｂとを比較することにより、指紋画像の取得の進行の度合を視認することができる。
【００３２】
次に、時間分割認証部２７は、指のスライド動作の停止状態を検出したか否かを判断する（ＳＴＥＰ１３）。例えば、時間分割認証部２７は、指が所定時間（例えば、2［sec］）以上、停止している（指の移動速度が停止に相当する所定速度以下である）場合に、停止状態を検出したと判断する。具体的には、本実施形態では、時間分割認証部２７は、例えば指紋読取り部２５から読取りデータの通知が所定時間以上ない場合に停止状態であると検出する。
【００３３】
すなわち、時間分割認証部２７は、読み取りデータの通知を受けてから所定時間内に次の読み取りデータの通知を受けた場合、停止状態を検出しないと判断し（ＳＴＥＰ１３の判断結果がＮＯ）、ＳＴＥＰ１１に戻る。そして、受け取った読み取りデータについて、ＳＴＥＰ１１〜ＳＴＥＰ１３の処理を行う。これにより、ＳＴＥＰ１３で停止状態が検出されるまで、ＳＴＥＰ１１で、読取りデータ毎に指紋画像の各部分が端部から取得され、ＳＴＥＰ１２で、取得した指紋画像の各部分が順次、指紋画像エリア２ａに表示される。そして、使用者は、指紋画像の取得の進行の度合を視認しながらスライド動作を行い、登録したい分割度合い（例えば、指紋全体の７０%まで読み取った状態）で指のスライド動作を停止することができる。
【００３４】
一方、読み取りデータの通知を受けてから所定時間経過しても、次の読み取りデータの通知を受けない場合には、時間分割認証部２７は、停止状態を検出したと判断して（ＳＴＥＰ１３の判断結果がＹＥＳ）、ＳＴＥＰ１４に進む。
【００３５】
次に、時間分割認証部２７は、認証データ記憶部２６に登録パターン１が登録済みか否かを判断する（ＳＴＥＰ１４）。登録パターン１が保存済みでない場合（ＳＴＥＰ１４の判断結果がＮＯ）、第１の認証部３１は、スイープ式指紋センサ４による画像データの取得の開始から、指のスライド動作の停止状態が検出されるまでに、スイープ式指紋センサ４により取得した指紋画像に基づいて登録パターン１を取得する。図６に、取得した登録パターン１を例示する。図６中、αは停止状態が検出された位置を示す。なお、登録パターン１は、指紋画像の画像データ自体でもよく、指紋画像から抽出した特徴量データでもよい。そして、第１の認証部３１は、取得した登録パターン１を認証データ記憶部２６に保存し（ＳＴＥＰ１６）、ＳＴＥＰ１１に戻る。
【００３６】
一方、登録パターン１が保存済みである場合（ＳＴＥＰ１４の判断結果がＹＥＳ）、ＳＴＥＰ１３で検出された停止状態は、スイープ式指紋センサ４による画像データの取得の終了と想定される。この場合、第２の認証部３２は、登録パターン１の取得後、スイープ式指紋センサ４による画像データの取得の終了までに取得した指紋画像に基づいて、登録パターン２を取得する。図６に、取得した登録パターン２を例示する。なお、登録パターン２は、指紋画像の画像データ自体でもよく、指紋画像から抽出した特徴量データでもよい。また、登録パターン１と同じ処理で取得しても異なる処理で取得してもよい。そして、第２の認証部３２は、取得した登録パターン２を認証データ記憶部２６に保存し（ＳＴＥＰ１５）、指紋登録処理を終了する。
【００３７】
次に、指紋認証処理について図４のフローチャートを参照して説明する。指紋認証処理は、例えば、使用者が操作入力部３を操作して、携帯電話機１のメニュー画面等で個人情報の表示を伴う機能を実行させることで開始される。初期状態として、表示部２に指紋認証画面が表示されており、上述の図５Ｂに示した指紋登録画面と同様に、指紋認証画面の指紋画像表示エリア３ａの近傍には、指紋画像の取得の進行の度合を視認するための指標となるスケール３ｂが表示されている。
【００３８】
指紋認証処理では、指紋登録処理と同様に、使用者がスイープ式指紋センサ４の感知面４ａに指を載せてスライド動作させ、スイープ式指紋センサ４がスライド動作に応じて画像データを逐次取得している。そして、指紋読取り部２５は下記のＳＴＥＰ２１〜２２の処理を繰り返し、時間分割認証部２７は下記のＳＴＥＰ３１〜３９の処理を実行する。
【００３９】
まず、指紋認証処理における指紋読取り部２５の処理を説明する。指紋登録処理と同様に、指紋読取り部２５は、スイープ式指紋センサ４により画像データが所定縦幅ａ以上読み取られたか否かを判断する（ＳＴＥＰ２１）。読取りデータが縦幅ａ未満（ＳＴＥＰ２１の判断結果がＮＯ）の場合、ＳＴＥＰ２１の判断が繰り返される。一方、取得したデータが縦幅ａ以上（ＳＴＥＰ２１の判断結果がＹＥＳ）の場合、指紋読取り部２５は、時間分割認証部２７へ読取りデータを部分指紋画像として通知し（ＳＴＥＰ２２）、ＳＴＥＰ２１へ戻り、指紋認証処理が終了するまでＳＴＥＰ２１〜２２の処理を繰り返す。
【００４０】
次に、指紋認証処理における時間分割認証部２７の処理を説明する。時間分割認証部２７は、指紋登録処理と同様に、指紋読取り部２５から読取りデータの通知を受けると、新たに取得された部分指紋画像に濃淡処理等の補正処理を行い、既に取得した指紋画像に連結して合成する（ＳＴＥＰ３１）。これにより、一連の部分指紋画像群から指紋画像が取得される。
【００４１】
次に、時間分割認証部２７は、指紋登録処理と同様に、表示制御部２０により、取得された指紋画像を表示部２の指紋認証画面の指紋画像エリア３ａに表示させる（ＳＴＥＰ３２）。これにより、指紋画像の取得済みの部分が指紋画像エリア３ａに表示される。このとき、使用者は、指紋画像エリア３ａに表示された指紋画像と、指紋認証画面のスケール３ｂとを比較することにより、指紋画像の取得の進行の度合を視認することができる。
【００４２】
次に、時間分割認証部２７は、指紋登録処理と同様に、指のスライド動作の停止状態を検出したか否かを判断する（ＳＴＥＰ３３）。時間分割認証部２７は、読み取りデータの通知を受けてから所定時間内に次の読み取りデータの通知を受けた場合、停止状態でないと判断し（ＳＴＥＰ３３の判断結果がＮＯ）、ＳＴＥＰ３１に戻る。そして、受け取った読み取りデータについて、ＳＴＥＰ３１〜ＳＴＥＰ３３の処理を行う。これにより、ＳＴＥＰ３３で停止状態が検出されるまで、ＳＴＥＰ３１で、読取りデータ毎に指紋画像の各部分が端部から取得され、ＳＴＥＰ３２で、取得した指紋画像の各部分が順次、指紋画像エリア３ａに表示される。そして、使用者は、指紋画像の取得の進行の度合を視認しながらスライド動作を行い、指紋登録時の停止位置に相当する位置でスライド動作を停止することができる。
【００４３】
一方、読み取りデータの通知を受けてから所定時間経過しても、次の読み取りデータの通知を受けない場合には、時間分割認証部２７は、停止状態を検出したと判断して（ＳＴＥＰ３３の判断結果がＹＥＳ）、ＳＴＥＰ３４に進む。
【００４４】
次に、時間分割認証部２７は、検出パターン１が認証済みか否かを判断する（ＳＴＥＰ３４）。検出パターン１が認証済みでない場合（ＳＴＥＰ３４の判断結果がＮＯ）、第１の認証部３１は、スイープ式指紋センサ４による画像データの取得の開始から、指のスライド動作の停止状態が検出されるまでに、スイープ式指紋センサ４により取得した指紋画像に基づいて、登録パターンと同じ処理で検出パターン１を取得する。図６に、取得した検出パターン１を例示する。図６中、βは停止状態が検出された位置を示す。そして、第１の認証部３１は、取得した検出パターン１を、認証データ記憶部２６に保存された認証パターン１と比較して、第１の認証処理を行う（ＳＴＥＰ３５）。具体的には、第１の認証部３１は、検出パターン１と登録パターン１との類似の度合を算出する。
【００４５】
次に、第１の認証部３１は、認証結果が一致するか否か判断する（ＳＴＥＰ３６）。具体的には、第１の認証部３１は、検出パターン１と登録パターン１との類似の度合が所定値以上である場合に一致すると判断する。これにより、使用者が指の停止動作により時間分割した一方の指紋画像の整合性に関する認証が行われる。
【００４６】
認証結果が一致しないと判断された場合（ＳＴＥＰ３６の判断結果がＮＯ）、認証は不成功となり、そのまま指紋認証処理が終了される。認証結果が一致すると判断された場合（ＳＴＥＰ３６の判断結果がＮＯ）、第１の認証は成功となり、ＳＴＥＰ３１に戻る。
【００４７】
一方、検出パターン１が認証済みである場合（ＳＴＥＰ３４の判断結果がＹＥＳ）、第１の認証は成功しており、ＳＴＥＰ３３で検出された停止状態は、スイープ式指紋センサ４による画像データの取得の終了と想定される。この場合、第２の認証部３２は、登録パターン１の取得後、スイープ式指紋センサ４による画像データの取得の終了までに取得した指紋画像に基づいて、登録パターンと同じ処理で登録パターン２を取得する。図６に、取得した検出パターン２を例示する。そして、第２の認証部３２は、取得した検出パターン２を、認証データ記憶部２６に保存された登録パターン２と比較して、第２の認証処理を行う（ＳＴＥＰ３７）。具体的には、第２の認証部３２は、検出パターン２と登録パターン２との類似の度合を算出する。
【００４８】
次に、第２の認証部３２は、認証結果が一致するか否か判断する（ＳＴＥＰ３８）。具体的には、第２の認証部３２は、検出パターン２と登録パターン２との類似の度合が所定値以上である場合に一致すると判断する。これにより、使用者が指の停止動作により時間分割した他方の指紋画像の整合性に関する認証が行われる。
【００４９】
認証結果が一致しないと判断された場合（ＳＴＥＰ３８の判断結果がＮＯ）、認証は不成功となり、そのまま指紋認証処理が終了される。認証結果が一致すると判断された場合（ＳＴＥＰ３８の判断結果がＮＯ）、第２の認証は成功となる。これにより、認証成功となり（ＳＴＥＰ３９）、個人情報の表示を可能として、指紋認証処理が終了される。
【００５０】
以上が本実施形態の指紋登録処理および指紋認証処理である。これによれば、使用者が指のスライド動作を一時停止することで、簡易な動作でパターンを時間分割して認証を行うことができる。このとき、指を一時停止するタイミングは第三者からは分かりにくいため、例えば第三者が使用者の指を用いて指紋認証を行っても、認証を成功させることは難しい。したがって、このように時間分割して認証を行うことで、例えば第三者の操作により携帯電話機１に記憶された個人情報が読み取られてしまう状況を回避することができる。
【００５１】
よって、本実施形態によれば、良好な操作性を維持して認証機能を強化することができる。
【００５２】
なお、本実施形態では、第２の登録パターン及び検出パターンは、第１の登録パターン及び検出パターンの取得後、スイープ式指紋センサ４による画像データの取得の終了までに取得した部分指紋画像群に基づいて取得するものとしたが、これには限られない。例えば、第２の登録パターン及び検出パターンは、スイープ式指紋センサ４による画像データの取得の開始から終了までに取得した全データ群、又は第１の登録パターン及び検出パターンを取得したデータ群と異なる所定の部分データ群に基づいて取得するものとすればよい。
（第２実施形態）
次に、開示の認証機能を有する電子機器の第２実施形態について説明する。第２実施形態は、第１実施形態と、第１の認証部３１及び第２の認証部３２の処理が相違する。第１実施形態と同じ構成については、同じ番号を付して説明を省略する。
【００５３】
本実施形態において、指紋登録処理時に、第１の認証部３１と第２の認証部３２は、それぞれ、スイープ式指紋センサ４による画像データの取得の開始から、指のスライド動作の停止状態が検出されるまでに、スイープ式指紋センサ４により取得した部分指紋画像群に基づいて、第１の登録パターンと第２の登録パターンを取得する。本実施形態では、登録パターンは、スイープ式指紋センサ４による画像データの取得の開始から、指のスライド動作の停止状態が検出されるまでに、スイープ式指紋センサ４により取得した指紋画像の画像データ自体とし、第１の登録パターンと第２の登録パターンは同じ画像データとする。
【００５４】
また、指紋認証処理時に、第１の認証部３１と第２の認証部３２は、指紋登録処理時と同様、それぞれ、スイープ式指紋センサ４による画像データの取得の開始から、指のスライド動作の停止状態が検出されるまでに、スイープ式指紋センサ４により取得した部分指紋画像群に基づいて、第１の検出パターンと第２の検出パターンを取得する。本実施形態では、検出パターンは、登録パターンと同様、取得した指紋画像の画像データ自体とする。
【００５５】
そして、第１の認証部３１と第２の認証部３２は、第１の認証処理と第２の認証処理として、第２の認証処理が第１の認証処理より認証精度が高くなるような、異なる認証処理を実行する。具体的には、第１の認証処理では、第１の検出パターンとして指紋画像を取得した際の、指のスライド動作の停止タイミングに関する認証処理を実行し、第２の認証処理では、第２の検出パターンとしての指紋画像自体に関する認証処理を実行する。
【００５６】
第１の認証部３１は、第１の検出パターンの終端の始端に対する位置と、第１の登録パターンの終端の始端に対する位置が、所定範囲内にある場合に、第１の検出パターンと第１の登録パターンが一致する（停止タイミングが整合する）と判断する。また、第２の認証部３２は、第２の検出パターンと第２の登録パターンとの類似の度合が所定値以上である場合に、第２の検出パターンと第２の登録パターンが一致する（指紋画像が整合する）と判断する。このとき、第２の認証部３２は、第１の認証部３１による第１の認証処理の結果、第１の検出パターンと第１の登録パターンが一致すると判断された場合に、第２の認証処理を実行する。
【００５７】
ここで、本実施形態の指紋認証処理について、図７を参照して説明する。図７Ａは、第１の認証処理の例を示す。第１の認証処理では、第１の認証部３１は、検出パターン１の終端の始端γに対する位置αと、登録パターン１の終端の始端γに対する位置βとを比較する。例えば、αに対して、βが所定範囲内（例えば、指紋全体の縦幅の±１０％内）にあるか否かを判断し、所定範囲内にあれば、停止位置が整合している（第１の認証が成功である）と判断する。これにより、使用者が指の停止動作で時間分割した指紋画像について、指の停止タイミングに関する認証を行うことができる。この第１の認証処理では、位置を比較するだけの簡易な処理で、迅速に認証を行うことができる。
【００５８】
また、図７Ｂは、第２の認証処理の例を示す。第２の認証処理では、第２の認証部３２は、検出パターン２と登録パターン２について、共通の領域δを比較して、類似の度合が所定値以上である場合に、指紋画像が整合している（第２の認証が成功である）と判断する。これにより、使用者が指の停止動作で時間分割した指紋画像について、指紋画像自体の認証を行うことができる。この第２の認証処理では、第１の認証が成功である指紋画像自体に、より認証精度の高い認証を行うことができる。
【００５９】
本実施形態によれば、第１実施形態と同様に、良好な操作性を維持して認証機能を強化することができる。
【００６０】
なお、本実施形態では、第２の登録パターン及び検出パターンは、第１の登録パターン及び検出パターンを取得した部分指紋画像群に基づいて取得するものとしたが、これには限られない。例えば、第２の登録パターン及び検出パターンは、スイープ式指紋センサ４による画像データの取得の開始から終了までに取得した全データ群、又は所定の部分データ群に基づいて取得するものとすればよい。
【００６１】
また、第１及び第２実施形態では、登録パターン及び検出パターンを２つに時間分割して認証を行ったが、例えば、３つ以上に時間分割して認証を行うものとしてもよい。
【００６２】
また、第１及び第２実施形態では、生体に関するデータとして使用者の指紋を用いたが、これには限られない。他の実施形態として、例えば、使用者の手書きサインを用いる場合に適用してもよい。
【００６３】
また、第１及び第２実施形態では、認証機能を有する電子機器として携帯電話機を用いたが、電子機器としてＰＤＡ（Personal Digital Assistants）等の他の装置を用いてもよい。
【００６４】
以上の実施形態に関し、更に以下の付記を開示する。
【００６５】
（付記１）  相対位置を変化させて入力される生体に関するデータを逐次取得するセンサを搭載し、取得した該データを用いた認証機能を有する電子機器であって、該センサによる該データの取得の開始から、該相対位置の変化の停止状態が検出されるまでに、該センサにより取得したデータ群に基づいて第１の検出パターンを取得し、該第１の検出パターンを用いて第１の認証処理を行う第１の認証部と、該センサによる該データの取得の開始から、該停止状態の検出後、該センサによる該データの取得の終了までに、該センサにより取得したデータ群に基づいて、該第１の検出パターンと異なる第２の検出パターンを取得し、該第２の検出パターンを用いて第２の認証処理を行う第２の認証部と、を備えた認証機能を有する電子機器。
【００６６】
（付記２）  前記第２の認証部は、前記第１の検出パターンの取得後、前記センサによる前記データの取得の終了までに取得したデータ群を用いて前記第２の検出パターンを取得して、前記第２の認証処理を行う、付記１に記載の認証機能を有する電子機器。
【００６７】
（付記３）  前記第２の認証部は、前記第１の検出パターンを取得したデータ群を用いて、該第1の検出パターンと異なる処理で前記第２の検出パターンを取得して、前記第２の認証処理を行う、付記１に記載の認証機能を有する電子機器。
【００６８】
（付記４）  前記第１の認証部は、前記第１の認証処理として、前記第１の検出パターンを取得する際の前記停止状態の検出に関する認証処理を行い、前記第２の認証部は、前記第２の認証処理として、前記第２の検出パターン自体の認証処理を行う、付記１〜３のうちいずれかに記載の認証機能を有する電子機器。
【００６９】
（付記５）  前記第２の認証部は、前記第１の認証部による第１の認証処理が成功した場合に、前記第２の認証処理を実行する付記１〜４のうちいずれかに記載の認証機能を有する電子機器。
【００７０】
（付記６）  前記センサによる前記生体に関するデータの取得の進行の度合を視認可能に表示する表示部を備える付記１〜５のうちいずれかに記載の認証機能を有する電子機器。
【００７１】
（付記７）  前記生体に関するデータは指紋画像であり、
前記センサはスイープ式指紋センサである付記１〜６のうちいずれかに記載の認証機能を有する電子機器。
【００７２】
（付記８）  センサを介して相対位置を変化させて入力される生体に関するデータを逐次取得し、取得した該データを用いて認証を行う認証方法であって、該センサによる該データの取得の開始から、該相対位置の変化の停止状態が検出されるまでに、該センサにより取得したデータ群に基づいて第１の検出パターンを取得し、該第１の検出パターンを用いて第１の認証処理を行い、該センサによる該データの取得の開始から、該停止状態の検出後、該センサによる該データの取得の終了までに、該センサにより取得したデータ群に基づいて、該第１の検出パターンと異なる第２の検出パターンを取得し、該第２の検出パターンを用いて第２の認証処理を行う、ことを特徴とする認証方法。
【００７３】
（付記９）  センサを介して相対位置を変化させて入力される生体に関するデータを逐次取得し、取得した該データを用いて認証を行う処理をコンピュータに実行させる認証機能を有するプログラムであって、該センサによる該データの取得の開始から、該相対位置の変化の停止状態が検出されるまでに、該センサにより取得したデータ群に基づいて取得する第１の検出パターンを用いた第１の認証処理と、該センサによる該データの取得の開始から、該停止状態の検出後、該センサによる該データの取得の終了までに、該センサにより取得したデータ群に基づいて取得する、該第１の検出パターンと異なる第２の検出パターンを用いた第２の認証処理と、をコンピュータに実行させる認証機能を有するプログラム。
【符号の説明】
【００７４】
１…携帯電話機、２…表示部、３…操作入力部、４…スイープ式指紋センサ、１０…ＣＰＵ、１１…メモリ、１２…制御部、２０…表示制御部、２１…入力制御部、２２…メール送受信部、２３…呼制御部、２４…無線制御部、２５…指紋読取り部、２６…認証データ記憶部、２７…時間分割認証部、３１…第１の認証部、３２…第２の認証部。                                                                                      
【図１】
2011022687.tif 000003
【図２】
2011022687.tif 000004
【図３】
2011022687.tif 000005
【図４】
2011022687.tif 000006
【図５】
2011022687.tif 000007
【図６】
2011022687.tif 000008
【図７】
2011022687.tif 000009